(57)【要約】【課題】本発明は、周辺を走行する車両と位置情報、走行向き、速度情報を含む車両走行情報を無線で送受信する無線通信装置を搭載した車両において、見通しの悪い交差点の死角に存在する車両情報等のドライバに必要な情報を適確に通知することを目的とする。【解決手段】周辺を走行する車両と位置情報、走行向き、速度情報を含む車両走行情報を無線で送受信する車両間無線通信手段において受信した車両走行情報より検出した車両のうち、車載カメラで撮影した周辺状況撮影画像から検出した車両を除いた車両の情報を抽出しドライバに通知することにより、目視では検出できない車両情報をドライバに提供する。【選択図】図１
2009223845.tif 000002
【特許請求の範囲】
【請求項１】
自車の位置、走行向き、速度情報を含む車両走行情報を生成する車両情報取得手段と、
前記車両情報取得手段で生成した車両走行情報を、自車両の周辺を走行する他の車両に送信し、また他の車両の車両走行情報を受信する車両間無線通信手段と、
前記車両間無線通信手段で受信した車両走行情報により周辺を走行する車両を検出する第一の車両検出手段と、
自車両の周辺を撮像する撮像手段と、
前記撮像手段が撮像した画像から自車両の周辺を走行する車両を検出し、その車両の位置情報を算出する第二の車両検出手段と、
前記第一の車両検出手段と第二の車両検出手段とで検出した車両の中から通知する車両の情報を抽出する安全走行情報検出手段と、
前記安全走行情報検出手段が抽出した車両情報を表示する表示手段と、
を具備することを特徴とする車載通信装置。
【請求項２】
自車の位置、走行向き、速度情報を含む車両走行情報を生成する車両情報取得手段と、
前記車両情報取得手段で生成した車両走行情報を、自車両の周辺を走行する他の車両に送信し、また他の車両の車両走行情報を受信する車両間無線通信手段と、
前記車両間無線通信手段で受信した車両走行情報により周辺を走行する車両を検出する第一の車両検出手段と、
自車両の周辺を撮像する撮像手段と、
前記撮像手段が撮像した画像から自車両の周辺を走行する車両を検出し、その車両の位置情報を算出する第二の車両検出手段と、
前記第一の車両検出手段と第二の車両検出手段とで検出した車両の中から通知する車両の情報を抽出する安全走行情報検出手段と、
前記安全走行情報検出手段が抽出した車両情報を表示する表示手段と、
を具備し、
前記安全走行情報検出手段は、前記第一の車両検出手段で検出した車両のうち前記第二の車両検出手段で検出した車両を除いた車両の情報を抽出することを特徴とする車載通信装置。
【請求項３】
自車の位置、走行向き、速度情報を含む車両走行情報を生成する車両情報取得手段と、
前記車両情報取得手段で生成した車両走行情報を、自車両の周辺を走行する他の車両に対し無線により送信し、かつ他の車両の車両走行情報を受信する車両間無線通信手段と、
前記車両間無線通信手段で受信した車両走行情報により周辺を走行する車両を検出する第一の車両検出手段と、
自車両の周辺を撮像する撮像手段と、
前記撮像手段が撮像した画像から自車両の周辺を走行する車両を検出し、その車両の位置情報を算出する第二の車両検出手段と、
前記第一の車両検出手段と第二の車両検出手段により検出した車両の中から通知する車両の情報を抽出する安全走行情報検出手段と、
前記安全走行情報検出手段が抽出した車両情報を表示する表示手段と、
地図情報を記憶する地図情報記憶手段と、
前記車両間無線通信手段から取得した自車位置情報と前記地図情報から自車が走行する場所の道路情報を取得し、前記安全走行情報検出手段が検出した車両情報を前記表示手段に表示するか否かを自車走行場所により判定する表示制御手段と、
を具備することを特徴とする車載通信装置。
【請求項４】
請求項３に記載の車載通信装置であって、
前記地図情報には道路地図または道路周辺の建造物を示す周辺情報が含まれ、前記表示制御手段が車両情報を前記表示手段に表示するか否かの判定は、地図情報より取得した自車走行場所及び周辺情報より行うことを特徴とする車載通信装置。
【請求項５】
自車の位置、走行向き、速度情報を含む車両走行情報を生成する車両情報取得手段と、
前記車両間無線通信手段で生成した車両走行情報を、自車両の周辺を走行する他の車両に対し無線により送信し、かつ他の車両の車両走行情報を無線により受信する車両間無線通信手段と、
前記車両間無線通信手段で受信した車両走行情報により周辺を走行する車両を検出する第一の車両検出手段と、
自車両の周囲に対し無線信号を送信し、その反射波を受信することにより周辺を走行する他の車両の存在を検出し、その車両の位置情報を算出する第三の車両検出手段と、
前記第一の車両検出手段と第三の車両検出手段とで検出した車両の中から通知する車両の情報を抽出する安全走行情報検出手段と、
前記安全走行情報検出手段が抽出した車両情報を表示する表示手段と、
を具備し、
前記安全走行情報検出手段は、前記第一の車両検出手段で検出した車両のうち前記第三の車両検出手段で検出した車両を除いた車両の情報を抽出する
ことを特徴とする車載通信装置。
【請求項６】
自車の位置、走行向き、速度情報を含む車両走行情報を生成する車両情報取得手段と、
前記車両情報取得手段で生成した車両走行情報を、自車両の周辺を走行する他の車両もしくは歩行者が所持する携帯通信装置に対し無線により送信し、また他の車両の無線通信手段から送信される車両走行情報もしくは歩行者が携帯する携帯通信装置に搭載する無線通信手段から少なくとも歩行者の位置情報、移動向き、速度情報を含む歩行者情報を無線により受信する人車間無線通信手段と、
前記人車間無線通信手段で受信した車両走行情報及び歩行者情報により周辺を走行する車両もしくは歩行者を検出する第一の車両歩行者検出手段と、
自車両の周辺を撮像する撮像手段と、
前記撮像手段が撮像した画像から自車両の周辺を走行する車両及び歩行者を検出し、検出した車両もしくは歩行者の位置情報を算出する第二の車両歩行者検出手段と、
前記第一の車両検出手段と第二の車両歩行者検出手段により検出した車両もしくは歩行者の中から通知する車両もしくは歩行者の情報を抽出する安全走行情報検出手段と、
前記安全走行情報検出手段が抽出した車両情報もしくは歩行者情報を表示する表示手段と、
を具備し、
前記安全走行情報検出手段は、前記第一の車両検出手段で検出した車両もしくは歩行者のうち前記第二の車両歩行者検出手段で検出した車両もしくは歩行者を除いた車両情報もしくは歩行者情報を抽出することを特徴とする車載通信装置。
【請求項７】
自車の位置、走行向き、速度情報を含む車両走行情報を生成する車両情報取得手段と、
前記車両情報取得手段で生成した車両走行情報を、自車両の周辺を走行する他の車両に対し無線により送信し、かつ他の車両の車両走行情報を無線により受信する車両間無線通信手段と、
前記車両間無線通信手段で受信した車両走行情報により周辺を走行する車両を検出する車両検出手段と、
前記車両間無線通信手段が受信した車両走行情報を表示する表示手段と、
地図情報を記憶する地図情報記憶手段と、
前記車両情報取得手段から取得した自車位置情報と前記地図情報から自車が走行する場所の道路情報を取得し、前記車両検出手段が検出した車両の情報を前記表示手段に表示するか否かを自車走行場所により判定する表示制御手段と、
を具備することを特徴とする車載通信装置。
【請求項８】
請求項７に記載の車載通信装置であって、
前記地図情報には道路地図及び道路周辺の建造物を示す周辺情報が含まれ、前記表示制御手段が車両情報を前記表示手段に表示するか否かの判定は、地図情報より取得した自車走行場所及び周辺情報より行うことを特徴とする車載通信装置。
【発明の詳細な説明】
【技術分野】
【０００１】
本発明は、無線通信により周辺車両と送受信を行い取得した車両走行情報と、また自車両に設置したカメラで撮像した自車両周辺の画像情報により、自車両の周辺を走行する車両を検出する車載通信装置に係わる。
【背景技術】
【０００２】
車両と車両との間で、車両走行状況等を無線でデータ通信することによりドライバに車両の接近を通知し、事故を未然に防ぐ予防安全の技術検討が進められている。また車両に搭載したカメラにより走行する自車両周辺を撮影した画像データより周辺車両を検出しドライバに通知し、事故を未然に防ぐ予防安全の技術検討が進められている。これらに関するものとして、特許文献１、特許文献２に開示がある。
【０００３】
【特許文献１】特開２００５−２３４９２１号公報
【特許文献２】特開２００７−１５６７５３号公報
【発明の開示】
【発明が解決しようとする課題】
【０００４】
特許文献１では、「車載カメラで撮影した画像から道路上の異常事象発生や交通状況等の走行関連情報を検出すると、周辺を走行する他車両に無線通信にて検出情報を送信することにより、周辺走行車両のドライバに走行関連情報通知する」車車間通信装置に関する技術について開示されている。
【０００５】
特許文献２では、「車両の周辺を撮像手段で撮像し、撮像した画像から車両の周辺に係る交通情報を抽出し、送信対象となる他車両の状態により設定した情報価値を付加して抽出した交通情報を送信し、他車両から送信された交通情報の情報価値により交通情報の出力を行うので、各車両で撮像した画像に基づいて抽出された交通情報の内、運転者は特に必要と思われる交通情報のみを選別して得る」技術について開示されている。
【０００６】
上記特許文献１では、周辺走行状況を撮影する車載カメラを設け、撮影画像から道路走行状況を取得し、周囲の走行車両に車車間通信により検出情報を提供することにより、路側機等のインフラ設備が無い場所でも道路の走行状況をドライバに提供可能な車車間通信装置が提案されている。
【０００７】
また上記特許文献２では、車両に設置したカメラで自車両の周辺を撮像した画像データの中からドライバに必要な情報を分類・抽出して提供する方法が提案されている。しかし、上記2件の提案方法では、カメラで撮影不可能な位置に存在する車両の情報をドライバに提供することはできない。例えば、車両が見通しの悪い交差点付近を走行中に、交差点の死角になる場所に車両が存在する場合は、カメラ撮影画像には写らないため、ドライバに車両の存在を通知できないという問題がある。
【０００８】
本発明は、車両が走行する周辺の状況を撮影するカメラと、周辺を走行する車両と位置情報、走行向き、速度情報を含む車両走行情報を無線で送受信する無線通信装置を搭載した車両において、カメラで撮影した周辺画像と、車車間通信により取得した周辺車両の走行情報により、例えば、見通しの悪い交差点の死角に存在する車両情報等のドライバに必要な情報を適確に通知することを目的とする。
【課題を解決するための手段】
【０００９】
上記課題を解決する為に、本発明の車載通信装置は、少なくとも自車位置、走行向き、速度情報を含む車両走行情報を生成する車両情報取得手段と、前記車両情報取得手段で生成した車両走行情報を、自車両の周辺を走行する他の車両に対し無線により送信し、また他の車両の車両走行情報を無線により受信する車両間無線通信手段と、前記車両情報取得手段で受信した車両走行情報により周辺を走行する車両を検出する第一の車両検出手段と、自車両の周辺を撮像する撮像手段と、前記撮像手段が撮像した画像から自車両の周辺を走行する車両を検出し、その車両の位置情報を算出する第二の車両検出手段と、前記第一の車両検出手段と第二の車両検出手段により検出した車両の中からドライバに通知する車両の情報を抽出する安全走行情報検出手段と、前記安全走行情報検出手段が抽出した車両情報を表示出力する表示手段と、を少なくとも具備する。
【００１０】
次に本発明の車載通信装置は、少なくとも自車位置、走行向き、速度情報を含む車両走行情報を生成する車両情報取得手段と、前記車両情報取得手段で生成した車両走行情報を、自車両の周辺を走行する他の車両に対し無線により送信し、また他の車両の車両走行情報を無線により受信する車両間無線通信手段と、前記車両情報取得手段で受信した車両走行情報により周辺を走行する車両を検出する第一の車両検出手段と、自車両の周辺を撮像する撮像手段と、前記撮像手段が撮像した画像から自車両の周辺を走行する車両を検出し、その車両の位置情報を算出する第二の車両検出手段と、前記第一の車両検出手段と第二の車両検出手段により検出した車両の中からドライバに通知する車両の情報を抽出する安全走行情報検出手段と、前記安全走行情報検出手段が抽出した車両情報を表示出力する表示手段と、
を少なくとも具備し、前記安全走行情報検出手段は、前記第一の車両検出手段で検出した車両のうち前記第二の車両検出手段で検出した車両を除いた車両の情報を抽出する。
【００１１】
次に本発明の車載通信装置は、少なくとも自車位置、走行向き、速度情報を含む車両走行情報を生成する車両情報取得手段と、前記車両情報取得手段で生成した車両走行情報を、自車両の周辺を走行する他の車両に対し無線により送信し、また他の車両の車両走行情報を無線により受信する車両間無線通信手段と、前記車両情報取得手段で受信した車両走行情報により周辺を走行する車両を検出する第一の車両検出手段と、自車両の周辺を撮像する撮像手段と、前記撮像手段が撮像した画像から自車両の周辺を走行する車両を検出し、その車両の位置情報を算出する第二の車両検出手段と、前記第一の車両検出手段と第二の車両検出手段により検出した車両の中からドライバに通知する車両の情報を抽出する安全走行情報検出手段と、前記安全走行情報検出手段が抽出した車両情報を表示出力する表示手段と、
地図情報を記憶する地図情報記憶手段と、前記車両情報取得手段から取得した自車位置情報と地図情報から自車が走行する場所の道路情報を取得し、前記安全走行情報検出手段が検出した車両情報を前記表示手段に表示するか否かを自車走行場所により判定する表示制御手段と、を少なくとも具備する。
【００１２】
次に本発明の車載通信装置は、前記車載通信装置と同じ構成であって、前記地図情報には道路地図及び道路周辺の建造物を示す周辺情報が記憶されており、前記表示制御手段が車両情報を前記表示手段に表示するか否かの判定は、地図情報より取得した自車走行場所及び周辺情報より行う。
【００１３】
次に本発明の車載通信装置は、少なくとも自車位置、走行向き、速度情報を含む車両走行情報を生成する車両情報取得手段と、前記車両情報取得手段で生成した車両走行情報を、自車両の周辺を走行する他の車両に対し無線により送信し、また他の車両の車両走行情報を無線により受信する車両間無線通信手段と、前記車両間無線通信手段で受信した車両走行情報により周辺を走行する車両を検出する第一の車両検出手段と、自車両の周囲に対し無線信号を送信し、その反射波を受信することにより周辺を走行する他の車両の存在を検出し、その車両の位置情報を算出する第三の車両検出手段と、前記第一の車両検出手段と第三の車両検出手段により検出した車両の中からドライバに通知する車両の情報を抽出する安全走行情報検出手段と、前記安全走行情報検出手段が抽出した車両情報を表示出力する表示手段と、を少なくとも具備し、前記安全走行情報検出手段は、前記第一の車両検出手段で検出した車両のうち前記第三の車両検出手段で検出した車両を除いた車両の情報を抽出する。
【００１４】
次に本発明の車載通信装置は、少なくとも自車位置、走行向き、速度情報を含む車両走行情報を生成する車両情報取得手段と、前記車両情報取得手段で生成した車両走行情報を、自車両の周辺を走行する他の車両もしくは歩行者が所持する携帯通信装置に対し無線により送信し、また他の車両の無線通信手段から送信される車両走行情報もしくは歩行者が携帯する携帯通信装置に搭載する無線通信手段から少なくとも歩行者の位置情報、移動向き、速度情報を含む歩行者情報を無線により受信する人車間無線通信手段と、前記人車間無線通信手段で受信した車両走行情報及び歩行者情報により周辺を走行する車両もしくは歩行者を検出する第一の車両歩行者検出手段と、自車両の周辺を撮像する撮像手段と、前記撮像手段が撮像した画像から自車両の周辺を走行する車両及び歩行者を検出し、検出した車両もしくは歩行者の位置情報を算出する第二の車両歩行者検出手段と、前記第一の車両検出手段と第二の車両歩行者検出手段により検出した車両もしくは歩行者の中からドライバに通知する車両もしくは歩行者の情報を抽出する安全走行情報検出手段と、前記安全走行情報検出手段が抽出した車両情報もしくは歩行者情報を表示出力する表示手段と、を少なくとも具備し、前記安全走行情報検出手段は、前記第一の車両検出手段で検出した車両もしくは歩行者のうち前記第二の車両歩行者検出手段で検出した車両もしくは歩行者を除いた車両情報もしくは歩行者情報を抽出する。
【００１５】
次に本発明の車載通信装置は、少なくとも自車位置、走行向き、速度情報を含む車両走行情報を生成する車両情報取得手段と、前記車両情報取得手段で生成した車両走行情報を、自車両の周辺を走行する他の車両に対し無線により送信し、また他の車両の車両走行情報を無線により受信する車両間無線通信手段と、前記車両間無線通信手段で受信した車両走行情報により周辺を走行する車両を検出する車両検出手段と、前記車両間無線通信手段が受信した車両走行情報を表示出力する表示手段と、地図情報を記憶する地図情報記憶手段と、前記車両間無線通信手段から取得した自車位置情報と前記地図情報から自車が走行する場所の道路情報を取得し、前記車両検出手段が検出した車両の情報を前記表示手段に表示するか否かを自車走行場所により判定する表示制御手段と、を少なくとも具備する。
【００１６】
次に本発明の車載通信装置は、前記車載通信装置と同じ構成であって、前記地図情報には道路地図及び道路周辺の建造物を示す周辺情報が記憶されており、前記表示制御手段が車両情報を前記表示手段に表示するか否かの判定は、地図情報より取得した自車走行場所及び周辺情報より行う。
【発明の効果】
【００１７】
本発明によれば、検出した周辺車両情報の中からドライバに不要な情報を廃し、より適切な機会に適切な情報をドライバに通知する車載通信装置を提供することを可能とするものである。
【００１８】
また本発明によれば、車両間無線通信手段で受信した車両走行情報より検出した車両のうち、車載カメラで撮像した周辺状況撮像画像から検出した車両を除いた車両の情報を抽出しドライバに通知することにより、目視では検出できない車両情報をドライバに提供可能となる。
【００１９】
また本発明によれば、車両間無線通信手段で受信した車両走行情報より検出した車両のうち、車載カメラで撮像した周辺状況撮像画像から検出した車両を除いた車両の情報を抽出し、更に自車両が走行する場所によりドライバに通知するか否かを判定することにより、目視では検出できない車両情報を自車両の走行場所に応じてドライバに提供可能となる。
【００２０】
また本発明によれば、車両間無線通信手段で受信した車両走行情報より検出した車両のうち、車載カメラで撮像した周辺状況撮像画像から検出した車両を除いた車両の情報を抽出し、更に自車両が走行する場所及び建造物等の周辺状況によりドライバに通知するか否かを判定することで、目視では検出できない車両情報を場所に応じてドライバに提供可能となる。
【００２１】
また本発明によれば、車両間無線通信手段で受信した車両走行情報より検出した車両のうち、車両検出無線通信手段により検出した車両を除いた車両の情報を抽出しドライバに通知することにより、目視では検出できない車両情報をドライバに提供可能となる。
【００２２】
また本発明によれば、人車間無線通信手段で受信した車両走行情報及び歩行者情報により検出した車両及び歩行者のうち、車載カメラで撮像した周辺状況撮像画像から検出した車両及び歩行者を除いた車両の情報及び歩行者の情報を抽出し、ドライバに通知することにより、目視では検出できない車両情報及び歩行者情報をドライバに提供可能となる。
【００２３】
また本発明によれば、車両間無線通信手段で受信した車両走行情報より検出した車両を、自車両が走行する場所によりドライバに通知するか否かを判定することにより、目視では検出できない場所に存在する車両情報をドライバに提供可能となる。
【００２４】
また本発明によれば、車両間無線通信手段で受信した車両走行情報より検出した車両を、自車両が走行する場所及び建造物等の周辺状況によりドライバに通知するか否かを判定することで、目視では検出できない場所に存在する車両情報をドライバに提供可能となる。
【発明を実施するための最良の形態】
【００２５】
本発明の車載通信装置の第一の実施例を図面によって説明する。
【実施例１】
【００２６】
図１は、本発明に使用される車載通信装置の全体構成の一実施例を示した図である。
【００２７】
１００は、ドライバに安全運転のため周辺の車両走行情報を通知する機能を有する車載通信装置であって、１０１はドライバに対し目的地までの誘導を行うナビゲーション機能等を搭載したナビゲーション機能を有するナビ制御部、１０２はスピーカやモニタなど音声・画像情報の表示出力を行う出力部、１０３はドライバがナビゲーション部１００に目的地等の設定などの入力を行う入力部、１０４は車両４００が走行する前方の状況を撮影、撮像するカメラ、１０５はカメラ１０４が撮影した画像情報を取得し周辺を走行する車両を検出するカメラ制御部、１０６は自車両の車両走行情報の送信、及び他車両の車両走行情報の受信を行う車両間無線通信部、１０７は車両間無線通信部１０６の無線データ送受信に使用するアンテナ、１０８はカメラ制御部１０５及び車両間無線通信部１０６が検出した周辺車両情報からドライバに必要な情報を検出する安全走行情報検出部、で構成される。
【００２８】
４００は車載通信装置１００を搭載する車両である。４０１は車両４００が搭載する同じ車載通信装置１００を搭載し車両４００と車両走行情報の送受信を行う車両Aである。
【００２９】
ナビ制御部１０１は、入力部１０３より入力された入力情報により、指定のあった目的地へドライバを誘導する処理を行う。ドライバが入力部１０３から目的地の入力を行うと、車両４００の現在位置から目的地までの道路情報を検索し、走行する道路の経路情報を出力部１０２に表示する。走行中は、自車両４００の走行位置を出力部１０２に表示した地図上に表示し、またドライバに目的地までのルート案内を行うため音声による走行案内情報を出力部１０２に出力する。また安全走行情報検出部１０８経由で受信した他車両の車両走行情報を出力部１０２に表示する。
【００３０】
出力部１０２は、ナビ制御部１０１の制御により、ナビ制御部１０１が出力する地図情報や道路混雑情報等の各種情報の画像表示を行うディスプレイや、ナビ制御部１０１が出力するルート案内情報の音声出力を行うスピーカ等で構成される。勿論、これらの画像表示を行うデバイス、装置や、音声情報を出力するデバイス、装置に限定されるものではなく、ドライバ、運転者、操作者に対して、情報を提供するその他のデバイス、装置であってもよい。例えば、注意、警告情報を振動によって、通知する振動デバイス、装置などであっても良い。
【００３１】
入力部１０３は、ドライバがナビゲーション部１００に対し、車両４００の行き先である目的地設定を行うのに必要な各種情報や、所定の処理動作要求を入力するための操作部で、入力操作盤（キーボード、タッチパネル入力等）等で構成される。ドライバが入力部１０３を通じて入力した各種情報はナビ制御部１０１に出力される。勿論、これらの入力操作盤として使用されるデバイス、装置や、音声情報を出力するデバイス、装置に限定されるものではなく、ドライバ、運転者、操作者の意思、動作、生体情報の変化に従って、操作、入力されるその他のデバイス、装置であってもよい。例えば、視線、眼球の動きを検出するもの、顔、頭の向き、傾き、角度、回転、動きなどを検出するもの、脈拍、血圧などをも含む生体情報を検出して、入力を可能とするデバイス、装置などであっても良い。
【００３２】
図２は、カメラ制御部１０５の内部構成の一実施例を示す図であり、１０５１はカメラ１０４の動作制御を行い、撮影した画像データを取得するカメラ画像取得部、１０５２はカメラ画像取得部１０５１で取得した画像データから周辺に存在する車両等の障害物を検出する周辺車両検出部、１０５３は周辺車両検出部１０５２が周辺障害物を画像データから検出した場合に障害物を判別するためのマッチング用データを格納する障害物データベースである。
【００３３】
周辺車両検出部１０５２は、カメラ画像取得部１０５１で取得した画像データから周辺に存在する車両等の障害物を検出すると、障害物データベース１０５３に格納するマッチング用データから障害物の種別を判別し、またナビ制御部１０１から取得した自車位置情報より障害物の位置情報を算出し、撮影した画像データ及び検出した障害物の種別、位置情報を障害物画像情報として安全走行情報検出部１０８に送信する。
【００３４】
図３は、車両間無線通信部１０６の内部構成の一実施例を示す図である。１０６１は車両間通信処理部１０６４からの要求によりデータの送信処理を行う送信部、１０６２はアンテナ１０７を介して他車両からのデータを受信する受信部、１０６３は送信処理と受信処理を切り替えるためのスイッチ、１０６４はスイッチ１０６３の切替処理、及び送信部１０６１、受信部１０６２、安全走行情報検出部１０８、ナビ制御部１０１とデータ入出力処理を行う車両間通信処理部である。
【００３５】
車両間通信処理部１０６４は、ナビ制御部１０１からデータ送信要求を受けた場合、周囲の無線送信チャネルの使用状況を確認し、使用されていない場合は送信データを送信部１０６１に設定し、スイッチ１０６３を送信部１０６１側に切り替えてデータ送信を行う。使用されている場合は、送信データの衝突を回避するため送信を待機し、未使用になったことを検出後、送信処理を行う。
【００３６】
本無線通信のアクセス制御方式は、ＣＳＭＡ／ＣＡ（Carrier Sense Multiple Access with Collision Avoidance）方式と呼ばれ、無線LANのMAC層におけるアクセス制御方式としてＩＥＥＥ８０２．１１で標準化されている。送信処理が完了すると、スイッチ１０６３は受信部１０６２側に切り替える。
【００３７】
また、受信部１０６２においてデータ受信し車両走行情報であることを確認すると、安全走行情報検出部１０８に送信する。本実施例では、車両間無線通信部１０６の通信アクセス制御はＣＳＭＡ／ＣＡ方式を行うこととしたが、これに限定するものではない。
【００３８】
また車両間で無線通信を行う車両間無線通信部１０６は、周辺に存在する見通し内車両だけでなく、見通し外車両との通信も可能なＵＨＦ（Ultra High Frequency）帯、もしくはＤＳＲＣ（Dedicated Short Range Communication）で利用されている５．８ＧＨｚ帯の周波数を利用するものとする。ただし、これに限定するものではない。
【００３９】
図４は、ナビ制御部１０１の内部構成の一実施例を示す図であり、１０１１は車速を検出するための加速度センサ、１０１２は車の場所、位置情報を取得するＧＰＳ（Global Positioning System）、１０１３は車の進行方向を検出するジャイロ、１０１４は現在地や目的地を表示するための地図情報を記憶している地図情報記憶部、１０１５は走行状態に関する車両走行情報を取得する車両情報取得部、１０１６は他車両から受信した走行状態に関する車両走行情報を格納する安全走行情報格納部、１０１７はナビ制御部１０１を制御する制御部である。
【００４０】
加速度センサ１０１１は、車両４００の車速を検出すると共に、検出した車速を示す電気信号を制御部１０１７へ出力する。
【００４１】
ＧＰＳ１０１２は、複数個のＧＰＳ衛星との間で交信を行うことにより、車両４００の現在の位置情報を取得すると共に、取得した車両４００の現在の位置情報を制御部１０１７へ出力する。
【００４２】
ジャイロ１０１３は、車両４００の進行方向を検出すると共に、検出した車両４００の進行方向情報を、制御部１０１７に出力する。
【００４３】
地図情報記憶部１０１４は、制御部１０１７の制御下で、車両４００の現在位置や、車両４００の目的地等を出力部１０２に表示するための地図情報を記憶している。地図情報記憶部１０１４は、制御部１０１７からの要求に応じて、指定された地図情報を出力する。
【００４４】
車両情報取得部１０１５は制御部１０１７の要求により、走行速度、エンジンの回転数、トルク、ブレーキ、アクセル状態など車両４００の動作状態を取得し出力する。
【００４５】
制御部１０１７は、入力部１０３から入力される各種情報や、要求に応じて後述の各処理を実施する。走行中は、加速度センサ１０１１からの車速検出信号、ＧＰＳ１０１２からの車両４００の現在位置情報、及びジャイロ１０１３からの車両４００の進行方向情報を取得し、地図情報記憶部１０１４に記憶されている地図情報の中から自車両走行場所周近の地図情報を読出し、出力部１０２に地図情報及び自車走行位置を表示する。また、エンジンの回転数、トルクは、エンジンの制御系にて処理されている制御信号、または、制御において、検出される検出信号を元に得るようにするものであっても良い。
【００４６】
ドライバが入力部１０３から目的地を入力し、目的地までの走行を誘導するナビゲーション走行の要求設定を行った場合は、現在位置から目的地までの走行経路を算出し、指定されたルートに従って目的地まで音声、画像出力による誘導処理を行う。また、安全走行情報検出部１０８からドライバの安全運転に支障を及ぼす可能性がある自車両の周辺情報（安全運転支援情報）を受信した場合は、安全運転走行情報格納部１０１６に格納し、また出力部１０２に出力する。
【００４７】
図５は、安全走行情報検出部１０８の内部構成の一実施例を示す図である。１０８１は車両間無線通信部１０６から受信した周辺走行車両からの車両走行情報を格納する他車両走行情報格納部、１０８２はカメラ制御部１０５が検出した障害物を撮像した障害物画像情報を格納するカメラ検出情報格納部、１０８３は他車両走行情報格納部１０８１とカメラ検出情報格納部１０８２に格納した情報からドライバの安全運転に支障を及ぼす可能性がある情報を抽出し安全運転支援情報としてナビ制御部１０１に送信する検出情報判定部である。
【００４８】
図６は車両間で送受信する車両走行情報の内容の一実施例を示した表である。データ要素としては、自車両を特定する番号である自車ＩＤ、自車両の車種を示す車両種別、自車両が走行している場所を示す緯度、経度、高度、自車両の走行速度を示す車速、自車両の走行加速度を示す加速度、自車両の走行方位を示す方向、ブレーキの使用状態を示すブレーキ、アクセルの使用状態を示すアクセル、がある。図６で、ブレーキ、アクセルの内容が、「ＯＮ：ＯＦＦ」となっているが、当該二値の情報に限定されるものではなく、ブレーキ、アクセルの使用状態に応じて、段階的にデータ量を示す情報とするものであっても良い。ナビ制御部１０１は、これらの車両走行情報を定期的に取得すると、図６に示したフォーマットに変換した後、車両間無線通信部１０６に送信要求する。
【００４９】
図７は車両４００が周辺の車両と無線通信を行う場合の一実施例を示した車両配置図である。４０１は車両４００の前方を走行する車両A、４０２は車両４００の反対車線を走行する車両B、４０３は自車両４００が走行する前方の交差点左側から交差点に向かって走行する車両C、４０４は車両４００の反対車線を走行する車両B４０２の後方を走行する車両Dであり、これらの各車両は車載通信装置１００を搭載し車両走行情報の送受信を行う。７０１は車両４００が搭載する車載通信装置１００が通信可能な範囲を示す通信エリア、７０２は車両４００に搭載したカメラ１０４が撮影可能な範囲を示した撮影エリア、７０３は交差点左角に存在する建物を示している。ここで通信エリア７０１は、自車両４００に搭載の車載通信装置１００が、車両Ａ４０１、車両Ｂ４０２、車両C４０３、及び車両D４０４に搭載されている車載通信装置１００と通信可能状態にあることを示している。また撮影エリア７０２は、車両４００に搭載したカメラ１０４が撮影可能な車両は、車両A４０１、及び車両B４０２であることを示している。
【００５０】
図８は、車両４００に搭載したカメラ１０４が撮影したカメラ撮影画像を示しており、８００はカメラ撮影画像、８０１は自車両４００から車両A４０１までの距離を示す距離A、８０２は自車両と車両B８０２までの距離を示す距離B、８０３は自車両４００から周辺車両の位置を測定する自車両基準点である。
【００５１】
図９は、安全走行情報検出部１０８が他車両から受信した車両走行情報とカメラ１０４で撮影したカメラ撮影画像データからドライバに通知する安全運転支援情報を検出し、ナビ制御部１０１がその内容を出力部１０２のディスプレイに表示した場合の一例を示す図である。９０１はナビ表示画像、９０２は前方交差点左側から接近する車両Ｃ４０３の存在を知らせる音声案内である。
【００５２】
図１０は、車両間無線通信部１０６が車両走行情報の送受信処理を行う場合のフローチャート図である。
【００５３】
図１１は、カメラ制御部１０５がカメラ１０４の撮影した画像データを取得し周辺車両等障害物を検出する場合のフローチャート図である。
【００５４】
図１２は、安全走行情報検出部１０８が、カメラ制御部１０５が検出した障害物情報と、車両間無線通信部１０６が受信した車両走行情報から、ドライバに通知する安全運転支援情報を抽出する場合のフローチャート図である。
図１３は、ナビ制御部１０１が安全走行情報検出部１０８から受信した安全運転支援情報を表示出力し、また自車両走行情報を取得し車両間無線通信部１０６へ送信要求する場合のフローチャート図である。
【００５５】
図１４は、図７の状況の場合に車両４００に搭載した車載通信装置１００の安全走行情報検出部１０８が周辺走行する車両を検出した結果を示した図である。
【００５６】
次に、本発明の車載通信装置１００が周辺車両から受信した車両走行情報とカメラで撮影した画像データから安全運転支援情報を抽出し表示する場合の動作ついて、図１、図２、図３、図４、図５、図６、図７、図８、図９、図１０、図１１、図１２、図１３、及び図１４を用いて説明する。
【００５７】
図７に示す通り、本発明の車載通信装置１００を搭載する自車両４００は、周辺を走行する他車両と無線で車両走行情報を送受信することで周囲に自車両の走行情報を通知し、また周囲を走行する他車両の走行情報を取得する。本実施例では、車両は通信可能なエリアに存在する他車両に対して全てに車両走行情報を送信するマルチキャスト型通信を前提とし、走行中は一定周期で車両走行情報の送信処理を繰り返し行うこととする。ただし、これに限定するものではない。
【００５８】
車両間無線通信部１０６の動作について図１０のシーケンス図を用いて説明する。車両間通信部１０６のスイッチ１０６３は通常受信部１０６２側に接続されており、受信部１０６２でデータを受信すると車両間通信処理部１０６４に転送され（S１００１）、車両走行情報である場合は受信済みデータか否かを判別する（Ｓ１００２）。受信済みのデータの場合は破棄して（Ｓ１００３）処理を終了する。未受信データの場合は、安全走行情報検出部１０８にデータを転送する（Ｓ１００４）。ナビ制御部１０１は車両間無線通信部１０６に対し、自車両の車両走行情報の送信要求を定期的に実施する。車両間無線通信部１０６はナビ制御部１０１から車両走行情報の送信要求を受信すると（Ｓ１００５）、次回のデータ送信タイミングで現在送信中の車両走行情報を新しいデータに更新する（Ｓ１００６）。車両間無線通信部１０６は、システム起動時にデータ送信タイミングを生成する自車両走行情報送信周期タイマを起動し、タイマが終了する毎にナビ制御部１０１から設定された車両走行情報の送信処理を行う。自車両走行情報送信周期タイマの終了を検出すると（Ｓ１００７）、送信部１０６１へ送信データを設定し（Ｓ１００８）データ送信が行なわれると、自車両走行情報送信周期タイマを再起動する（Ｓ１００９）。このように、車両間通信処理部１０６の処理は、他の車両から車両走行情報を受信した場合、ナビ制御部１０１からの車両走行情報の送信要求を受信した場合、自車両走行情報送信周期タイマが終了した場合に起動がかかり、それぞれの処理を実施する。
【００５９】
次にカメラ制御部１０５の動作について図１１のシーケンスを用いて説明する。周辺車両検出部１０５２は、カメラ１０４が撮影した周辺画像データから自車両周辺を走行する車両を検出する処理を定期的に実施する。
【００６０】
システム起動時に車両検出処理を行うタイミングを生成する画像更新周期タイマを起動し、タイマが終了する毎にカメラ画像取得部１０５１からカメラ１０４が撮影した画像データを取得し車両検出処理を実施する。
【００６１】
画像更新周期タイマが終了すると（Ｓ１１０１）カメラ画像取得部１０５１からカメラ１０４が撮影した自車両周辺を撮影した画像情報を取得する（Ｓ１１０２）。次に取得した画像情報に自車両周辺を走行する車両が写っているかを検出しその方角・距離を取得する（Ｓ１１０３）。
【００６２】
カメラ１０４は、車両４００に固定接続されており撮影される範囲は固定される。図８に撮影した画像情報の例を示す。このように、手前に自車両４００のボンネット部が写っており、同一車線の前方を走行している車両Ａ４０１と、反対車線前方を走行する車両Ｂ４０２がそれぞれ写っている。
【００６３】
画像情報から車両を検出する方法としては、取得画像の２値化処理等により道路面、前方障害物（周辺走行車両Ａ４０１、及び車両Ｂ４０２）、車線の輝度差を求め、道路面と前方障害物との境界を求め、また障害物部位データを抽出する。
【００６４】
撮像画像には、自車の前方部が撮影されているのでその先端（自車両基準点８０３）から道路面と前方障害物の境界までの画素数と自車両位置からの方向を測定し（自車両４００と車両Ａ４０１までの測定距離は距離Ａ８０１、自車両４００と車両Ｂ４０２までの測定距離は距離Ｂ８０２となる。）、ナビ制御部１０１より取得した自車両の位置情報、走行方向と照合することにより、前方障害物の位置が求められる。
【００６５】
また抽出した障害物部位データは、障害物データベース１０５３に格納するデータベース情報とのマッチング処理を実施し（Ｓ１１０４）車両か否かを検出する（Ｓ１１０５）。車両を検出した場合、検出した車両の位置情報と共に画像情報を障害物画像情報として安全走行情報検出部１０８へ送信する（Ｓ１１０６）。最後に画像更新周期タイマを再起動し（Ｓ１１０７）処理を終了する。
【００６６】
このように、カメラ制御部１０５の周辺車両検出処理は、画像更新周期タイマが終了した場合に起動がかかり処理を実施する。なお、本実施例で説明した、周辺画像データから車両を検出する方法は一例であり、このほかにも車両にカメラを2台設置するステレオカメラを用いた周辺車両の検出方法がある。
【００６７】
次に安全走行情報検出部１０８の動作について図１２のシーケンスを用いて説明する。安全走行情報検出部１０８は、ドライバに通知する安全走行情報を検出する処理を定期的に実施するため、システム起動時にそのタイミングを生成する検出処理周期タイマを起動し、タイマが終了する毎に検出処理を実施する。
【００６８】
検出処理周期タイマの終了を検知すると（Ｓ１２０１）、カメラ制御部１０５から取得した障害物画像情報をカメラ検出情報格納部１０８２から取得し（Ｓ１２０２）、更に車両間無線通信部１０６で受信した車両走行情報を他車両走行情報格納部１０８１から取得する（Ｓ１２０３）。
【００６９】
次に車両走行情報から検出した車両と障害物画像情報から検出した車両について両方で検出された同一の車両とそれ以外の車両に分類する（Ｓ１２０４）。このうち障害物画像情報では検出されず車両走行情報で検出された車両情報についてはドライバの目視範囲に存在しない車両情報であるので、安全走行情報としてナビ制御部１０１に送信する（Ｓ１２０５）。
【００７０】
その後、再度検出処理周期タイマを再起動する（Ｓ１２０６）。図７に示した状況の例では、図１４に示した通り車両Ａ４０１と車両Ｂ４０２は障害物画像情報と車両走行情報の両方で検出され、車両Ｃ４０３と車両Ｄ４０４については車両走行情報のみから検出される。従って安全走行情報として車両Ｃ４０３と車両Ｄ４０４の車両走行情報がナビ制御部１０１に送られる。
【００７１】
カメラ制御部１０５から障害物情報を受信した場合は（Ｓ１２０７）、障害物情報をカメラ検出情報格納部１０８２に記憶する（Ｓ１２０８）。
【００７２】
車両間無線通信部１０６から車両走行情報を受信した場合は（Ｓ１２０９）、車両走行情報を他車両走行情報格納部１０８１に記憶する（Ｓ１２１０）。
【００７３】
このように安全走行情報検出部１０８の処理は、検出処理周期タイマが終了した場合、障害物情報を受信した場合、車両走行情報を受信した場合に起動がかかりそれぞれの処理を実施する。
【００７４】
ナビ制御部１０１は、安全走行情報を安全走行情報検出部１０８より受信すると（Ｓ１３０１）、受信した安全走行情報に含まれる車両走行情報の自車ＩＤから、既に受信済の車両からのデータかを安全走行情報格納部１０１６に格納した既受信データから判定する（Ｓ１３０２）。未受信の車両からのデータの場合、図９に示す通り、自車マークと共に他車両マークを表示した地図画像を出力部１０２に表示し「前方交差点左側から車が接近しています。」（音声案内９０２）の音声情報を出力する（Ｓ１３０３）。
【００７５】
一方、既受信の車両からのデータの場合は、前回受信したデータと比較し、更新されている場合は（Ｓ１３０４）、更新内容に従って該当車両位置を特定し、同様に自車マークと共に他車両マークを表示した地図画像を出力部１０２に表示し「前方交差点左側から車が接近しています。」（音声案内９０２）の音声情報を出力する（Ｓ１３０５）。前回の受信時に音声通知を実施の場合は一定時間経過後に再度音声通知を実施するようにしても構わない。更新されていない場合は処理を終了する。
【００７６】
またナビ制御部１０１は、自車の車両走行情報を取得する処理を定期的に実施するため、システム起動時にそのタイミングを生成する自車両走行情報更新周期タイマを起動し、タイマが終了する毎に取得処理を実施する。自車両走行情報更新周期タイマの終了を検知すると（Ｓ１３０６）、自車両情報取得部１０１５より自車両走行情報を取得し（Ｓ１３０７）、車両間無線通信部１０６へ送信要求を行う（Ｓ１３０８）。その後、自車両走行情報更新周期タイマを再起動する（Ｓ１３０９）。
【００７７】
このようにナビ制御部１０１の処理は、安全走行情報を受信した場合、自車両走行情報更新周期タイマが終了した場合に起動がかかりそれぞれの処理を実施する。
【００７８】
図７の例の場合、安全走行情報は車両Ｃ４０３と車両Ｄ４０４の車両情報をナビ制御部１０１は受信するが、本実施例では上記の通り図９に示したナビ表示画像９０１を表示する。画像表示は障害物画像情報と車両走行情報の両方で検出された車両Ａ４０１と車両Ｂ４０２を点表示としているが、車両Ａ４０１と車両Ｂ４０２は実際には表示されない。
【００７９】
ただし、安全走行情報検出部１０８で車両走行情報と障害物画像情報の両方で検出された車両情報と車両走行情報のみから検出された車両情報をそれぞれ区別する情報を付与し、いずれの情報もナビ制御部１０１に送信し、図９に示す通りナビ制御部１０１がそれぞれの車両情報を区別して表示するようにしても構わない。
【００８０】
また本実施例の場合、音声は車両Ｃ４０３の存在をドライバに通知するための情報を出力するようにしたが、車両Ｄ４０４の存在をドライバに通知するための情報を出力するようにしても構わない。
【００８１】
このように、周辺を走行する複数の車両の中で、車両間無線通信部１０６による車車間通信にて取得した車両走行情報と、カメラ１０４で周辺状況を撮影したカメラ画像から検出した障害物画像情報のうち、車車間通信によってのみ検出された車両走行情報を安全走行情報として表示することにより、運転中のドライバが目視では確認できない車両の存在を通知することが可能になり、混雑している場所などで大量に受信した車両走行情報の中から安全走行に必要な情報を抽出することが可能になる。
【００８２】
本実施例では、安全走行情報検出部１０８で検出した安全走行情報をナビ制御部１０１が受信した場合は常に表示するが、車両４００が走行する場所に応じて処理条件を設定しても構わない。
【００８３】
例えば、図７の場合のように車両４００が見通しの悪い交差点手前の一定距離に接近した場合に検出した安全走行情報はナビ制御部１０１が表示するように動作し、それ以外の場所で検出した安全走行情報に関しては表示しないように動作してもよい。また表示する場所については、見通しの悪い交差点に限るものではなく、見通しの悪いカーブ、合流車線接合部、事故多発地点等を処理条件に用いても構わない。
【００８４】
また、自車両４００が走行する場所が見通しの悪い交差点や、見通しの悪いカーブなど走行が危険な場所か否かをナビ制御部１０１が判断し、危険箇所と判定した場合に安全走行情報を出力部１０２に表示するようにしても構わない。
【００８５】
具体的には、地図情報記憶部１０１４に記憶している地図情報には、道路周辺に存在する建物に関する情報（形状、大きさ、高さ等）を記憶しておき、制御部１０１７は安全走行情報を受信すると、自車両４００の走行場所周辺の地図情報、及び建物情報を地図情報記憶部１０１４から取得し、自車両走行場所の危険度の判定処理を行い、安全走行情報を出力部１０２に表示するか否かを制御する。
【００８６】
例えば、自車両４００の走行場所が交差点手前付近を走行していることを地図情報より検出すると、周辺の建物情報を取得し、所定の高さ以上の高さ、所定の大きさ以上の大きさの建物が交差点付近に存在する場合には危険箇所と判断し安全走行情報を出力部１０２に表示する。図７の場合には、ナビ制御部１０１は建物情報より交差点左角に建物７０３が存在することを検出し危険箇所と判定し安全走行情報を出力部１０２に表示する。
【００８７】
また本実施例では、図７の状況において、安全走行情報検出部１０８が検出した車両Ｃ４００と車両Ｄ４０４に関する安全走行情報についてナビ制御部１０１は、2台の車両の位置を示した地図情報を画像表示し、車両Ｃ４０３もしくは、車両Ｄ４０４の何れかの存在に関して音声通知するようにしたが、車両４００の走行場所や走行状況に応じて動作の優先順位を予め定義しておきナビ制御部１０１が状況に応じて動作するようにしても構わない。
【００８８】
図１５にナビ制御部１０１の動作優先順位を定めた安全走行情報優先処理順位テーブルを示す。自車両４００が交差点を直進動作する場合、右折する場合、また急カーブを通過する場合について動作優先順位を示している。
【００８９】
例えば、交差点を直進する場合には、交差点左側道路からの直進車両が存在する場合が最優先となり、対象車両の存在を通知する音声ガイド、画像表示をナビ制御部１０１が表示出力する。また前方走行車両が存在する場合は走行上の危険度が高くないため、地図上へ検出車両の画像表示は行うが、音声ガイドは行わないようにしている。
【００９０】
また本実施例では、安全走行情報検出部１０８が安全走行情報を検出する場合に、カメラ１０４で撮影した画像データからカメラ制御部１０４が周辺車両とその位置情報を検出した障害物画像情報と、車両通信部１０６で受信した車両走行情報を用いたが、カメラ撮影画像の代わりにミリ波レーダによる通信機能を搭載し、周辺障害物によって反射されたミリ波を測定することにより車両の存在と自車両４００からの距離を検出し、更に自車両４００の位置情報から検出車両の位置情報を検出するようにしても構わない。
【００９１】
また本実施例では、安全走行情報検出部１０８が安全走行情報を検出する場合に、カメラ１０４で撮影した画像データからカメラ制御部１０４が周辺車両とその位置情報を検出した障害物画像情報と、車両通信部１０６で受信した車両走行情報を用いたが、カメラ撮影画像による周辺車両の検出は行わず、車両通信部１０６で受信した車両走行情報を安全走行情報としてナビ制御部１０１に通知し、ナビ制御部１０１は自車走行位置周辺の地図情報から自車両４００が見通しの悪い交差点やカーブ、合流車線接合部、事故多発地点、駐車場などの車両走行施設を走行時に出力部１０２に表示するようにしても構わない。
【実施例２】
【００９２】
本発明の車載通信装置の第二の実施例を図面によって説明する。
【００９３】
図１６は、本発明に使用される車載通信装置の全体構成の一実施例を示した図である。２００は、ドライバに安全運転のため周辺の車両走行情報を通知する機能を有する車載通信装置であって、ナビ制御部１０１、出力部１０２、入力部１０３、カメラ１０４、アンテナ１０７、車両４００、及び車両A４０１は図１の車載通信装置１００に搭載する部位と同じ動作を行う。
【００９４】
２０５はカメラ１０４が撮影した画像情報を取得し周辺を走行する車両及び歩行者を検出するカメラ制御部、２０６は他の車両A４０１との間で車両の走行状況を示す車両走行情報の送受信を行い、また歩行者A６０１が所持している携帯電話装置５００との間で歩行者の位置情報や移動方向を示す歩行者情報を無線で通信する人車・車車間無線通信部、２０８はカメラ制御部２０５及び人車・車車間無線通信部２０６が検出した周辺車両情報及び周辺歩行者情報からドライバに必要な情報を検出する安全走行情報検出部、で構成される。
【００９５】
５００は、無線で他の携帯電話装置と音声通話を行い、またセンタ装置と接続により音楽や画像コンテンツデータのダウンロードなどを行う携帯電話装置であって、周辺を走行する車両に搭載される人車・車車間無線通信部２０６との間で車両の走行状況を示す車両走行情報を受信し、自身の位置情報や移動方向を示す歩行者情報を無線で車両に送信する機能を有する。６０１は携帯電話装置５００を所持する歩行者Ａである。
【００９６】
図１７は、カメラ制御部２０５の内部構成の一実施例を示す図であり、２０５１はカメラ１０４の動作制御を行い、撮影した画像データを取得するカメラ画像取得部、２０５２はカメラ画像取得部２０５１で取得した画像データから周辺に存在する車両及び歩行者等の障害物を検出する周辺車両検出部、２０５３は周辺車両検出部１０５２が周辺障害物を画像データから検出した場合に障害物を判別するためのマッチング用データを格納する障害物データベースである。
【００９７】
周辺車両検出部２０５２は、カメラ画像取得部２０５１で取得した画像データから周辺に存在する車両や歩行者等の障害物を検出すると、障害物データベース２０５３に格納するマッチング用データから障害物の種別を判別し、またナビ制御部１０１から取得した自車位置情報より障害物の位置情報を算出し、撮影した画像データ及び検出した障害物の種別、位置情報を障害物画像情報として安全走行情報検出部２０８に送信する。
【００９８】
図１８は、人車・車車間無線通信部２０６の内部構成の一実施例を示す図である。２０６１は人者・車車間通信処理部２０６４からの要求によりデータの送信処理を行う送信部、２０６２はアンテナ１０７を介して他車両もしくは歩行者が携帯する携帯電話装置からのデータを受信する受信部、２０６３は送信処理と受信処理を切り替えるためのスイッチ、２０６４はスイッチ２０６３の切替処理、及び送信部２０６１、受信部２０６２、安全走行情報検出部２０８、ナビ制御部１０１とデータ入出力処理を行う人車・車車間通信処理部である。
【００９９】
人車・車車間通信処理部２０６４は、ナビ制御部１０１からデータ送信要求を受けた場合、周囲の無線送信チャネルの使用状況を確認し、使用されていない場合は送信データを送信部２０６１に設定し、スイッチ２０６３を送信部２０６１側に切り替えてデータ送信を行う。使用されている場合は、送信データの衝突を回避するため送信を待機し、未使用になったことを検出後、送信処理を行う。
【０１００】
本無線通信のアクセス制御方式は、ＣＳＭＡ／ＣＡ（Carrier Sense Multiple Access with Collision Avoidance）方式と呼ばれ、無線LANのMAC層におけるアクセス制御方式としてＩＥＥＥ８０２．１１で標準化されている。送信処理が完了すると、スイッチ２０６３は受信部２０６２側に切り替える。
【０１０１】
また、受信部２０６２においてデータ受信し車両走行情報であることを確認すると、安全走行情報検出部２０８に送信する。本実施例では、車両間無線通信部２０６の通信アクセス制御はＣＳＭＡ／ＣＡ方式を行うこととしたが、これに限定するものではない。
【０１０２】
また車両間で無線通信を行う人車・車車間無線通信部２０６は、周辺に存在する見通し内車両だけでなく、見通し外車両との通信も可能なＵＨＦ（Ultra High Frequency）帯、もしくはＤＳＲＣ（Dedicated Short Range Communication）で利用されて５．８ＧＨｚ帯の周波数を利用するものとする。ただし、これに限定するものではない。
【０１０３】
図１９は、安全走行情報検出部２０８の内部構成の一実施例を示す図である。２０８１は人車・車車間無線通信部２０６が受信した周辺走行車両からの車両走行情報もしくは周辺に存在する歩行者A６０１が所持している携帯電話装置５００の位置情報や移動方向を示す歩行者情報を格納する他車両・歩行者情報格納部、２０８２はカメラ制御部２０５が検出した周辺車両、もしくは歩行者などを撮像した障害物画像情報を格納するカメラ検出情報格納部、２０８３は他車両走行情報格納部２０８１とカメラ検出情報格納部２０８２に格納した情報からドライバの安全運転に支障を及ぼす可能性がある情報を抽出し安全運転支援情報としてナビ制御部１０１に送信する検出情報判定部である。
【０１０４】
図２０は周辺を走行する車両からの走行情報を受信し、自装置の位置情報や移動方向を示す歩行者情報を周辺車両に送信する携帯電話装置５００の全体構成の一例を示した図である。
【０１０５】
５０１は音声・画像情報などの表示を行う表示部、５０２は通話や、データ通信の開始などの入力操作を行う操作部、５０３は他の携帯電話装置と音声通話や、センタ装置と無線通信を行う携帯電話無線通信部、５０４は周辺を走行する車両に搭載される人車・車車間無線通信部２０６との間で無線通信を行う車両間無線通信部、５０５は周辺を走行する車両から受信した車両走行情報の処理、及び歩行者情報を生成し送信制御を行う車両情報処理部、５０５１は車両情報処理部５０５の構成部の一部であり、受信した車両走行情報の解析処理を行う車両情報受信判定部、５０６はＧＰＳを搭載し自身の位置情報（緯度、経度）を取得し、進行方向を算出する位置情報取得部、５０７は携帯電話装置５００全体を制御する携帯電話制御部、である。
【０１０６】
音声発呼や、データ通信接続開始などユーザが操作部５０２に対して入力操作を行うと、携帯電話制御部５０７は入力内容に応じて携帯電話無線通信部５０３に無線通信接続処理要求を行う。
【０１０７】
携帯電話無線通信部５０３より無線通信接続完了応答を受けると表示部５０１に無線通信接続通知表示を行う。その後、ユーザの入力内容に従い音声通話、データ通信を実施する。また、携帯電話無線通信部５０３から着信通知を受信すると、着信表示を表示部５０１に出力し、ユーザに通知する。その後ユーザの操作部５０２への入力内容に応じて無線通信接続を実施する。
【０１０８】
図２１は車両間で送受信し、また歩行者に対し送信するする車両走行情報の内容の一実施例を示した表である。データ要素としては、図６に示した車両走行情報の先頭部に、データを送信する宛先を示した送信先情報と、送信元の情報を示す送信元情報を追加した構成となっている。
【０１０９】
なお図２１では、送信先情報としては、０：区別なし（全端末が受信）、１：車両、２：携帯、３−１５：予約としたが、予約領域を使い他の端末を設定しても構わない。また送信先情報は1バイトで１５種類までの設定しか行えないが、2バイト以上設定できるようにしても構わない。同様に、送信元情報も1バイト構成となっているが2バイト以上設定できるようにしても構わない。
【０１１０】
図２２は携帯電話装置５００が周辺を走行する車両に送信する歩行者の位置情報や移動方向を示す歩行者情報の内容の一実施例を示した表である。データ要素としては、データを送信する宛先を示した送信先情報、送信元の情報を示す送信元情報、自携帯電話装置を特定する番号である携帯ＩＤ、自携帯電話装置の場所を示す緯度、経度、歩行者の移動方位を示す方向、がある。
【０１１１】
車両情報処理部５０５は、位置情報取得部５０６から場所、方向などの歩行者情報を取得し、送信先情報と送信元情報を加えて図２２に示した車両走行情報データフォーマットのデータフレームを生成し車両間無線通信部５０４より送信する。なお図２２では、送信先情報としては、０：区別なし（全端末が受信）、１：車両、２：携帯、３−１５：予約としたが、予約領域を使い他の端末を設定しても構わない。また送信先情報は1バイトで１５種類までの設定しか行えないが、2バイト以上設定できるようにしても構わない。同様に、送信元情報も1バイト構成となっているが2バイト以上設定できるようにしても構わない。
【０１１２】
図２３は車両４００が周辺の車両及び歩行者が所持する携帯電話と無線通信を行う場合の一実施例を示した車両・歩行者配置図である。６０１は車両４００の左前方を歩行し携帯電話装置５００と同様の機能を持つ携帯電話装置を所持する歩行者A６０１、６０２は自車両４００が走行する前方の交差点左側から交差点に向かって歩行し携帯電話装置５００と同様の機能を持つ携帯電話装置を所持する歩行者Ｂ、２３０１は車両４００が搭載する車載通信装置２００が通信可能な範囲を示す通信エリア、２３０２は車両４００に搭載したカメラ１０４が撮影可能な範囲を示した撮影エリアを示している。その他は図７と同様である。
【０１１３】
ここで通信エリア２３０１は、自車両４００に搭載の車載通信装置２００が、車両Ａ４０１、車両Ｂ４０２、車両C４０３、及び車両D４０４に搭載されている車載通信装置２００及び歩行者Ａ６０１、及び歩行者Ｂ６０２が所持する携帯電話装置と通信可能状態にあることを示している。また撮影エリア２３０２は、車両４００に搭載したカメラ１０４が撮影可能な車両は、車両A４０１、及び車両B４０２、歩行者A６０１であることを示している。
【０１１４】
図２４は、車両４００に搭載したカメラ１０４が撮影したカメラ撮影画像を示しており、２４００はカメラ撮影画像、２４０１は自車両４００から車両A４０１までの距離を示す距離A、２４０２は自車両４００と車両B８０２までの距離を示す距離B、２４０３は自車両４００と歩行者A６０１までの距離を示す距離Cである。その他は図８と同様である。
【０１１５】
図２５は、安全走行情報検出部２０８が他車両から受信した車両走行情報、及び歩行者が所持する携帯電話から受信した歩行者情報、カメラ１０４で撮影したカメラ撮影画像データからドライバに通知する安全運転支援情報を検出し、ナビ制御部１０１がその内容を出力部１０２のディスプレイに表示した場合の一例を示す図である。２５０１はナビ表示画像、２５０２は前方交差点左側から接近する車両Ｃ４０３と歩行者Ｂ６０２の存在を知らせる音声案内である。
【０１１６】
図２６は、人車・車車間無線通信部２０６が車両走行情報及び歩行者情報の送受信処理を行う場合のフローチャート図である。
【０１１７】
図２７は、カメラ制御部２０５がカメラ１０４の撮影した画像データを取得し周辺車両、歩行者等障害物を検出する場合のフローチャート図である。
【０１１８】
図２８は、安全走行情報検出部２０８が、カメラ制御部２０５において検出した障害物情報と、車両間無線通信部２０６が受信した車両走行情報、及び歩行者情報から、ドライバに通知する安全運転支援情報を抽出する場合のフローチャート図である。
【０１１９】
図２９は携帯電話装置５００の車両情報処理部５０５の車両間通信における処理フローチャート図である。
【０１２０】
次に、本発明の車載通信装置２００が周辺車両からの車両走行情報と、周辺歩行者からの歩行者情報と、カメラで撮影した画像データから安全運転支援情報を抽出し表示する場合の動作ついて、図４、図１６、図１７、図１８、図１９、図２０、図２１、図２２、図２３、図２４、図２５、図２６、図２７、図２８、図２９、及び図３０を用いて説明する。
【０１２１】
図２３に示す通り、本発明の車載通信装置２００を搭載する自車両４００は、周辺を走行する他車両と歩行者が所持する携帯電話装置と無線で車両走行情報を送受信することで周囲に自車両の走行情報を通知し、また周囲を走行する他車両の走行情報、歩行者の所持する携帯電話装置の位置情報や移動方向を示す歩行者情報を取得する。
【０１２２】
本実施例では、車両は通信可能なエリアに存在する他車両及び歩行者全てに対して車両走行情報を送信するマルチキャスト型通信を前提とし、走行中は一定周期で車両走行情報の送信処理を繰り返し行うこととする。ただし、これに限定するものではない。
【０１２３】
人車・車車間無線通信部２０６の動作について図２６のシーケンス図を用いて説明する。人車・車車間通信部２０６のスイッチ２０６３は通常受信部２０６２側に接続されており、受信部２０６２でデータを受信すると人車・車両間通信処理部２０６４に転送され（S２６０１）、送信元情報、送信先情報から情報種別を確認し（Ｓ２６０２）、車両宛ての車両情報を受信した場合は、受信済み車両情報データか否かを判別する（Ｓ２６０３）。受信済みのデータの場合は破棄して（Ｓ２６０４）処理を終了する。
【０１２４】
未受信データの場合は、安全走行情報検出部２０８にデータを転送する（Ｓ２６０５）。車両宛ての歩行者情報を受信した場合は、受信済み歩行者情報データか否かを判別し（Ｓ２６０６）、受信済みのデータの場合は破棄して（Ｓ２６０７）処理を終了する。未受信データの場合は、安全走行情報検出部２０８にデータを転送する（Ｓ２６０８）。
【０１２５】
ナビ制御部１０１は人車・車車間無線通信部２０６に対し、自車両の車両走行情報の送信要求を定期的に実施する。人車・車車間無線通信部２０６はナビ制御部１０１から車両走行情報の送信要求を受信すると（Ｓ２６０９）、次回のデータ送信タイミングで現在送信中の車両走行情報を新しいデータに更新する（Ｓ２６１０）。
【０１２６】
人車・車車間無線通信部２０６は、システム起動時にデータ送信タイミングを生成する自車両走行情報送信周期タイマを起動し、タイマが終了する毎にナビ制御部１０１から設定された車両走行情報の送信処理を行う。
【０１２７】
自車両走行情報送信周期タイマの終了を検出すると（Ｓ２６１１）、送信部２０６１へ送信データを設定し（Ｓ２６１２）データ送信が行なわれると、自車両走行情報送信周期タイマを再起動する（Ｓ２６１３）。
【０１２８】
このように、人車・車車間無線通信部２０６の処理は、他の車両からの車両走行情報、もしくは歩行者の所持する携帯電話から送信される歩行者情報を受信した場合、ナビ制御部１０１からの車両走行情報の送信要求を受信した場合、自車両走行情報送信周期タイマが終了した場合に起動がかかり、それぞれの処理を実施する。
【０１２９】
次にカメラ制御部２０５の動作について図２７のシーケンスを用いて説明する。周辺車両歩行者検出部２０５２は、カメラ１０４が撮影した周辺画像データから自車両周辺を走行する車両もしくは歩行者を検出する処理を定期的に実施する。システム起動時に車両検出処理を行うタイミングを生成する画像更新周期タイマを起動し、タイマが終了する毎にカメラ画像取得部２０５１からカメラ１０４が撮影した画像データを取得し車両検出処理を実施する。
【０１３０】
画像更新周期タイマが終了すると（Ｓ２７０１）カメラ画像取得部２０５１からカメラ１０４が撮影した自車両周辺を撮影した画像情報を取得する（Ｓ２７０２）。次に取得した画像情報に自車両周辺を走行する車両もしくは歩行者が写っているかを検出しその方角・距離を取得する（Ｓ２７０３）。カメラ１０４は、車両４００に固定接続されており撮影される範囲は固定される。図２４に撮影した画像情報の例を示す。このように、手前に自車両４００のボンネット部が写っており、同一車線の前方を走行している車両Ａ４０１と、反対車線前方を走行する車両Ｂ４０２、及び左前方路肩に歩行者Ａ６０１がそれぞれ写っている。
【０１３１】
画像情報から車両及び歩行者を検出する方法としては、取得画像の２値化処理等により道路面、前方障害物（周辺走行車両Ａ４０１、車両Ｂ４０２、歩行者Ａ６０１）、車線の輝度差を求め、道路面と前方障害物との境界を求め、また障害物部位データを抽出する。撮像画像には、自車の前方部が撮影されているのでその先端（自車両基準点８０３）から道路面と前方障害物の境界までの画素数と自車両位置からの方向を測定し（自車両４００と車両Ａ４０１までの測定距離は距離Ａ８０１、自車両４００と車両Ｂ４０２までの測定距離は距離Ｂ８０２、自車両４００と歩行者Ａ６０１までの測定距離は距離Ｃ２４０３となる。）、ナビ制御部１０１より取得した自車両の位置情報、走行方向と照合することにより、前方障害物の位置が求められる。
【０１３２】
また抽出した障害物部位データは、障害物データベース２０５３に格納するデータベース情報とのマッチング処理を実施し（Ｓ２７０４）車両か否かを検出する（Ｓ２７０５）。車両、もしくは歩行者を検出した場合、検出した車両の位置情報もしくは歩行者の位置情報と共に画像情報を障害物画像情報として安全走行情報検出部１０８へ送信する（Ｓ２７０６）。最後に画像更新周期タイマを再起動し（Ｓ２７０７）処理を終了する。
【０１３３】
このように、カメラ制御部２０５の周辺車両・歩行者検出処理は、画像更新周期タイマが終了した場合に起動がかかり処理を実施する。なお、本実施例で説明した、周辺画像データから車両を検出する方法は一例であり、このほかにも車両にカメラを2台設置するステレオカメラを用いた周辺車両・歩行者の検出方法がある。こちらの方式を採用しても構わない。
【０１３４】
次に安全走行情報検出部２０８の動作について図２８のシーケンスを用いて説明する。安全走行情報検出部２０８は、ドライバに通知する安全走行情報を検出する処理を定期的に実施するため、システム起動時にそのタイミングを生成する検出処理周期タイマを起動し、タイマが終了する毎に検出処理を実施する。
【０１３５】
検出処理周期タイマの終了を検知すると（Ｓ２８０１）、カメラ制御部２０５から取得した障害物画像情報をカメラ検出情報格納部２０８２から取得し（Ｓ２８０２）、更に人車・車車間無線通信部２０６で受信した車両走行情報及び歩行者情報を他車両・歩行者情報格納部２０８１から取得する（Ｓ２８０３）。
【０１３６】
次に車両走行情報、歩行者情報から検出した車両と歩行者、障害物画像情報から検出した車両と歩行者について、それぞれの位置情報から人車・車車間無線通信部２０６とカメラ制御部２０５の両方で検出された車両及び歩行者と、それ以外の車両及び歩行者に分類する（Ｓ２８０４）。このうち障害物画像情報では検出されず車両走行情報で検出された車両もしくは障害物画像情報では検出されず歩行者情報で検出された歩行者についてはドライバの目視範囲に存在しない情報であるので、安全走行情報としてナビ制御部１０１に送信する（Ｓ２８０５）。
【０１３７】
その後、再度検出処理周期タイマを再起動する（Ｓ２８０６）。図２３に示した状況の例では、図３０に示した通り車両Ａ４０１、車両Ｂ４０２、歩行者A６０１は人車・車車間無線通信部２０６から受信した各情報（車両走行情報、歩行者情報）とカメラ制御部２０５の障害物画像情報の両方で検出され、車両Ｃ４０３、車両Ｄ４０４、歩行者B６０２については人車・車車間無線通信部２０６から受信した各情報のみから検出された情報である。従って安全走行情報として車両Ｃ４０３と車両Ｄ４０４の車両情報と、歩行者B６０２の歩行者情報がナビ制御部１０１に送られる。
【０１３８】
カメラ制御部２０５から障害物情報を受信した場合は（Ｓ２８０７）、障害物情報をカメラ検出情報格納部２０８２に記憶する（Ｓ２８０８）。
人車・車車間無線通信部２０６から車両走行情報もしくは歩行者情報を受信した場合は（Ｓ２８０９）、受信情報を他車両・歩行者情報格納部２０８１に記憶する（Ｓ２８１０）。
【０１３９】
このように安全走行情報検出部２０８の処理は、検出処理周期タイマが終了した場合、障害物情報を受信した場合、車両走行情報もしくは歩行者情報を受信した場合に起動がかかりそれぞれの処理を実施する。
【０１４０】
ナビ制御部１０１は、第一の実施例と同様に動作を行う。図２３の例のように安全走行情報として車両Ｃ４０３と車両Ｄ４０４の車両情報と、歩行者B６０２の歩行者情報が安全走行情報検出部２０８から送られてきた場合は、図２５に示す通り、自車マークと共に他車両マーク、歩行者マークを表示した地図画像を出力部１０２に表示し「前方交差点左側から歩行者と車が接近しています。」（音声案内２５０２）の音声情報を出力する。
【０１４１】
また本実施例の場合、音声は車両Ｃ４０３と歩行者B６０２の存在をドライバに通知するための情報を出力するようにしたが、車両Ｄ４０４の存在をドライバに通知するための情報を出力するようにしても構わない。
【０１４２】
次に、携帯電話装置５００の車両情報処理部５０５が車両走行情報を受信し、歩行者情報を送信する動作について説明する。
【０１４３】
携帯電話装置５００の車両情報処理部５０５は、車両間無線通信部５０４を介して車両走行情報を受信すると（Ｓ２９０１）、車両間無線通信部５０４を通信中に設定する（Ｓ２９０２）。
【０１４４】
次に受信データである車両走行情報の送信先情報を車両情報受信判定部５０５１が解析し、“携帯”以外であれば受信データを破棄し（Ｓ２９０４）処理を終了する。送信先情報が“携帯”である場合は、受信したデータが受信済みデータか否かを確認し（Ｓ２９０５）、既受信データの場合は破棄し（Ｓ２９０６）、処理を終了する。未受信データの場合は位置情報取得部５０６から取得した携帯電話装置５００の位置情報と受信した車両走行情報から取得した位置情報（緯度・経度）から車両と携帯電話装置５００の距離を算出する（Ｓ２９０７）。
【０１４５】
車両との距離が予め定めた一定範囲内の距離内に存在する場合は危険領域と判定し（Ｓ２９０８）、表示部５０１に車両接近を表示するように携帯電話制御部５０７に要求する（Ｓ２９０９）。これを受けて表示部５０１では車両接近を示す画像表示、音声通知を行い歩行者に通知する。ここで車両接近を通知する方法として携帯電話装置５００を振動させる動作を行うようにしても構わない。
【０１４６】
次に、歩行者情報の送信タイミングを通知する歩行者情報送信周期タイマの動作開始確認を行い（Ｓ２９１０）未開始の場合はタイマをスタートする（Ｓ２９１１）。歩行者情報送信周期タイマの完了通知を受信すると（Ｓ２９１４）、車両間無線通信部５０４通信中か否かを確認し（Ｓ２９１５）、通信中の場合は、位置情報取得部５０６から携帯電話装置５００の位置情報を取得し（Ｓ２９１６）、図２２で示した歩行者情報の送信先を車両、送信元を携帯に設定し、その他の情報も設定した後、車両間無線通信部５０４から送信する（Ｓ２９１７）。
【０１４７】
その後、歩行者情報送信周期タイマを開始する（Ｓ２９１８）。一定期間車両無線通信部５０４に車両走行情報の受信が無い場合を検出すると（Ｓ２９１２）、車両間無線通信部５０４を切断状態に設定する（Ｓ２９１３）。
【０１４８】
このように携帯電話装置５００の車両情報処理部５０５における車両走行情報及び歩行者情報の送受信処理は、人車・車車間無線通信部２０６からデータを受信した場合、人車・車車間無線通信部２０６と通信中に一定期間データ受信検出しなかった場合、歩行者情報送信周期タイマが完了した場合に起動がかかりそれぞれの処理を実施する。
【０１４９】
以上の通り、周辺を走行する複数の車両、歩行者の中で、人車・車車間無線通信部２０６による無線通信にて取得した車両走行情報もしくは歩行者情報と、カメラ１０４で周辺状況を撮影したカメラ画像から検出した障害物画像情報から、無線通信によってのみ検出された車両走行情報もしくは歩行者情報を安全走行情報として表示することにより、運転中のドライバが目視では確認できない車両や歩行者の存在を通知することが可能になり、混雑している場所などで大量に受信した車両走行情報及び歩行者情報の中から安全走行に必要な情報を抽出することが可能になる。
【０１５０】
本実施例では、安全走行情報検出部２０８が安全走行情報を検出する場合に、カメラ１０４で撮影した画像データからカメラ制御部２０４が周辺車両もしくは歩行者の存在とその位置情報を検出した障害物画像情報と、車両通信部１０６で受信した車両走行情報を用いたが、カメラ撮影画像の代わりにミリ波レーダによる通信機能を搭載し、周辺障害物によって反射されたミリ波を測定することにより車両もしくは歩行者の存在と自車両４００からの距離を検出し、更に自車両４００の位置情報から検出車両もしくは歩行者の位置情報を検出するようにしても構わない。
【図面の簡単な説明】
【０１５１】
【図１】本発明の車載通信装置の全体構成の一実施例を示したブロック図である。
【図２】本発明の車載通信装置におけるカメラ制御部の内部構成の一実施例を示したブロック図である。
【図３】本発明の車載通信装置における車両間無線通信部の内部構成の一実施例を示したブロック図である。
【図４】本発明の車載通信装置におけるナビ制御部の内部構成の一実施例を示したブロック図である。
【図５】本発明の車載通信装置における安全走行情報検出部の内部構成の一実施例を示したブロック図である。
【図６】本発明の車載通信装置において、車載通信装置で送受信する車両走行情報の構成表及びデータフォーマットの一実施例を示す図である。
【図７】本発明の車載通信装置において、車両が周辺の車両と無線通信を行い、周辺状況のカメラ撮影を行う場合の動作状況の一実施例を示した車両検出システム動作状況図である。
【図８】本発明の車載通信装置におけるカメラが車両の周辺状況を撮影した画像の一実施例を示す図である。
【図９】本発明の車載通信装置において安全走行情報検出部で検出した車両情報を出力部のディスプレイに表示した場合の一実施例を示す図である。
【図１０】本発明の車載通信装置における車両間無線通信部が車両走行情報の送受信処理を行う場合の一実施例を示すフローチャート図である。
【図１１】本発明の車載通信装置におけるカメラ制御部が、カメラ撮影画像データを取得し周辺車両等障害物を検出する処理を行う場合の一実施例を示すフローチャート図である。
【図１２】本発明の車載通信装置における安全走行情報検出部が、カメラ制御部が検出した障害物情報と、車両間無線通信部が受信した車両走行情報から、ドライバに通知する安全運転支援情報を抽出する場合の一実施例を示すフローチャート図である。
【図１３】本発明の車載通信装置におけるナビ制御部が安全走行情報検出部から受信した安全運転支援情報を表示出力し、また自車両走行情報を取得し車両間無線通信部へ送信要求する場合の一実施例を示すフローチャート図である。
【図１４】本発明の車載通信装置における安全走行情報検出部が図７の状況において周辺走行する車両を検出した結果の一実施例を示す図である。
【図１５】本発明の車載通信装置においてナビ制御部の動作優先順位を定めた安全走行情報優先処理順位テーブルの一実施例を示す図である。
【図１６】本発明の車載通信装置の全体構成の一実施例を示したブロック図である。
【図１７】本発明の車載通信装置におけるカメラ制御部の内部構成の一実施例を示したブロック図である。
【図１８】本発明の車載通信装置における人車・車両間無線通信部の内部構成の一実施例を示したブロック図である。
【図１９】本発明の車載通信装置における安全走行情報検出部の内部構成の一実施例を示したブロック図である。
【図２０】本発明の車載通信装置から送信される車両走行情報を受信し、自装置の位置情報や移動方向を示す歩行者情報を周辺車両に送信する携帯電話装置の全体構成の一実施例を示したブロック図である。
【図２１】本発明の車載通信装置において車載通信装置で送受信する車両走行情報の構成表及びデータフォーマットの一実施例を示す図である。
【図２２】本発明の車載通信装置と通信を行う携帯電話装置において送信する歩行者情報の構成表及びデータフォーマットの一実施例を示す図である。
【図２３】本発明の車載通信装置において、車両が周辺の車両及び歩行者が所持する携帯電話と無線通信を行い、周辺状況のカメラ撮影を行う場合の動作状況の一実施例を示した車両検出システム動作状況図である。
【図２４】本発明の車載通信装置におけるカメラが車両の周辺状況を撮影した画像の一実施例を示す図である。
【図２５】本発明の車載通信装置において安全走行情報検出部で検出した車両及び歩行者情報を出力部のディスプレイに表示した場合の一実施例を示す図である。
【図２６】本発明の車載通信装置における人車・車車間通信部が車両走行情報の送受信処理及び歩行者情報の受信処理を行う場合の一実施例を示すフローチャート図である。
【図２７】本発明の車載通信装置におけるカメラ制御部が、カメラ撮影画像データを取得し周辺車両・歩行者等障害物を検出する処理を行う場合の一実施例を示すフローチャート図である。
【図２８】本発明の車載通信装置における安全走行情報検出部が、カメラ制御部が検出した障害物情報と、人車・車車間無線通信部が受信した車両走行情報及び歩行者情報から、ドライバに通知する安全運転支援情報を抽出する場合の一実施例を示すフローチャート図である。
【図２９】本発明の車載通信装置から送信される車両走行情報を受信し、自装置の位置情報や移動方向を示す歩行者情報を周辺車両に送信する携帯電話装置における車両情報処理部の車両間通信処理の一実施例を示す図である。
【図３０】本発明の車載通信装置における安全走行情報検出部が図２３の状況において周辺走行する車両及び歩行者を検出した結果の一実施例を示す図である。
【符号の説明】
【０１５２】
１００：車載通信装置
１０１：ナビ制御部
１０２：出力部
１０３：入力部
１０４：カメラ
１０５：カメラ制御部
１０６：車両間無線通信部
１０７：アンテナ
１０８：安全走行情報検出部
２００：車載通信装置
２０５：カメラ制御部
２０６：人車・車車間無線通信部
２０８：安全走行情報検出部
４００：車両
４０１：車両Ａ
４０２：車両B
４０３：車両C
４０４：車両D
５００：携帯電話装置
５０１：表示部
５０２：操作部
５０３：携帯電話無線通信部
５０４：車両間無線通信部
５０５：車両情報処理部
５０６：位置情報取得部
５０７：携帯電話制御部
６０１：歩行者A
６０２：歩行者B
７０１：通信エリア
７０２：撮影エリア
７０３：建物
８００：カメラ撮影画像
８０１：距離A
８０２：距離B
９０１：ナビ表示画像
９０２：音声案内
１０１１：加速度センサ
１０１２：ＧＰＳ
１０１３：ジャイロ
１０１４：地図情報記憶部
１０１５：車両情報取得部
１０１６：安全走行情報格納部
１０１７：制御部
１０５１：カメラ画像取得部
１０５２：周辺車両検出部
１０５３：障害物データベース
１０６１：送信部
１０６２：受信部
１０６３：スイッチ
１０６４：車両間通信処理部
１０８１：他車両走行情報格納部
１０８２：カメラ検出情報格納部
１０８３：検出情報判定部
２０５１：カメラ画像取得部
２０５２：周辺車両歩行者検出部
２０５３：障害物データベース
２０６１：送信部
２０６２：受信部
２０６３：スイッチ
２０６４：人車・車車間通信処理部
２０８１：他車両・歩行者情報格納部
２０８２：カメラ検出情報格納部
２０８３：検出情報判定部
２３０１：通信エリア
２３０２：撮影エリア
２４００：カメラ撮影画像
２４０１：距離A
２４０２：距離B
２４０３：距離C
２５０１：ナビ表示画像
２５０２：音声案内
５０５１：車両情報受信判定部
【図１】
2009223845.tif 000003
【図２】
2009223845.tif 000004
【図３】
2009223845.tif 000005
【図４】
2009223845.tif 000006
【図５】
2009223845.tif 000007
【図６】
2009223845.tif 000008
【図７】
2009223845.tif 000009
【図８】
2009223845.tif 000010
【図９】
2009223845.tif 000011
【図１０】
2009223845.tif 000012
【図１１】
2009223845.tif 000013
【図１２】
2009223845.tif 000014
【図１３】
2009223845.tif 000015
【図１４】
2009223845.tif 000016
【図１５】
2009223845.tif 000017
【図１６】
2009223845.tif 000018
【図１７】
2009223845.tif 000019
【図１８】
2009223845.tif 000020
【図１９】
2009223845.tif 000021
【図２０】
2009223845.tif 000022
【図２１】
2009223845.tif 000023
【図２２】
2009223845.tif 000024
【図２３】
2009223845.tif 000025
【図２４】
2009223845.tif 000026
【図２５】
2009223845.tif 000027
【図２６】
2009223845.tif 000028
【図２７】
2009223845.tif 000029
【図２８】
2009223845.tif 000030
【図２９】
2009223845.tif 000031
【図３０】
2009223845.tif 000032